(57)【要約】【課題】容器の内壁に保持されて花器を構成する花止め具において、安定に保持可能であり、且つ、容器への着脱が容易な構成を提供する。【解決手段】花止め具１を、各頂点を容器３の内壁面に当接する接触端部７とする略正三角形板状の支持板部４により構成するとともに、該支持板部４に、茎Ｓを挿通させて保持するための保持孔６ａ〜６ｃを形成し、各接触端部７を介して容器３の内部に花止め具１を保持するようにした。【選択図】図６
0003142479.tif 000002
【実用新案登録請求の範囲】
【請求項１】
略正三角形板状をなし、各頂点を容器の内壁面に当接する接触端部とする支持板部を備え、各接触端部を介して容器内に保持されるものであり、
該支持板部には、茎を挿通させて保持するための保持孔が形成されていることを特徴とする花止め具。
【請求項２】
前記支持板部の下面には、その周縁よりも内側部分に下方に隆起する隆起部が形成されており、前記保持孔は、支持板部と隆起部の双方を貫通するように形成されていることを特徴とする請求項１記載の花止め具。
【請求項３】
前記支持板部は、各接触端部の間の側辺が内側に抉れるように湾曲していることを特徴とする請求項１又は請求項２に記載の花止め具。
【請求項４】
容器の内部に、請求項１乃至請求項３のいずれか１項に記載の花止め具が装着されてなる花器。
【請求項５】
前記容器は、下底面が丸まった容器本体と、該容器本体を支持する台座とを備えてなり、容器本体は、その下底面を、台座に配設された三本の支持脚部の各先端に当接させることによって台座に三点で支持されていることを特徴とする請求項４記載の花器。
【考案の詳細な説明】
【技術分野】
【０００１】
本考案は、容器の内部に装着されて、花や草の茎を保持する花止め具に関する。
【背景技術】
【０００２】
従来、花瓶などの花器にあって、容器の内壁に当接するように装着されて、花や草の茎を支持する花止め具が知られている。
【０００３】
図１１に示すように、従来の花止め具１ａは、茎を保持するための保持孔６ｄが複数貫設された板状部材であり、容器３ａの内壁の断面形状に合わせて形成された略円形をなすものであり、その周縁を容器３ａの内壁に密接させるように装着されて花器２ａを構成し、各保持孔６ａに挿入された茎が倒れないよう支持するものであった。
【考案の開示】
【考案が解決しようとする課題】
【０００４】
上述の従来の花止め具１ａは、その周縁全体を容器３ａの内壁に密接させるよう装着されるため、その周縁形状が容器３ａの内壁の断面形状とわずかに異なっただけでガタツキが生じ、不安定になってしまう。また、周縁全体を容器３ａの内壁に密接させるため、着脱時の引っ掛りがなく、着脱作業を行い難いという欠点もある。
【０００５】
本考案は、かかる現状に鑑みてなされたものであり、容器に対して安定に保持可能であり、且つ、容器への着脱が容易な花止め具の提供を目的とする。
【課題を解決するための手段】
【０００６】
本考案は、略正三角形板状をなし、各頂点を容器の内壁面に当接する接触端部とする支持板部を備え、各接触端部を介して容器内に保持されるものであり、該支持板部には、茎を挿通させて保持するための保持孔が形成されていることを特徴とする花止め具である。
【０００７】
かかる花止め具は、例えば、鉢や椀などの底に向けてすぼんだ容器や、胴部に括れを有する容器などに装着されるものであり、各接触端部を容器の内壁のすぼんだ部分に当接させることにより、容器の内壁に対して三点で支持される。このように、三点支持構造を取れば、その周縁形状を容器の内壁の形状に厳密に合わせなくても、花止め具を容器内に安定に保持することが可能となる。また、同じ容器に対して花止め具の装着角度を変更することも可能となる。また、各接触端部の間の三つの側辺は容器の内壁に当接せず内壁との間に隙間を生じているため、該隙間に指等を入れることにより花止め具の着脱を容易に行うことができる。
【０００８】
本考案の花止め具にあって、支持板部の下面には、その周縁よりも内側部分に下方に隆起する隆起部が形成されており、前記保持孔は、支持板部と隆起部の双方を貫通するように形成されている構成が提案される。かかる構成にあっては、隆起部を貫通する分だけ保持孔の長さが長くなる。すなわち、本考案にあっては、支持板部の下面に隆起部を連成することにより、茎を保持する保持孔の長さを十分確保することができ、これにより、保持孔よりもかなり細い茎であっても安定に保持可能となる。また、かかる隆起部は支持板部の周縁より内側に形成されるため、隆起部が容器の内壁面と干渉してがたつきを生じることがない。また、隆起部は支持板部の下方に隠れる形となるため、着脱時の邪魔となり難く、また、花器の美観を損ねることもない。
【０００９】
本考案の花止め具にあって、支持板部は、各接触端部の間の側辺が内側に抉れるように湾曲していることが提案される。かかる構成にあっては、容器内壁と側辺との間の隙間がさらに大きくなるため、着脱の際に指等を挿入し易く、着脱作業が一層容易なものとなる。
【００１０】
本考案の花止め具は、陶器、プラスチック、金属、セラミックなど、各種の材料によって構成され得る。特定の容器に取り付ける場合には、当該容器と同じ材料を用いて一体感を持たせることが望ましい。また、花止め具をガラス等の滑りやすい素材で構成する場合には、ゴム等の、容器の内壁に密接しやすい素材を接触端部に別途配設することが望ましい。
【００１１】
また、本考案の別の態様としては、容器の内部に上記花止め具が装着されてなる花器が提案される。本考案の花止め具を装着する容器としては、下底面が丸まった容器本体と、該容器本体を支持する台座とを備えてなり、容器本体は、その下底面を、台座に配設された三本の支持脚部の各先端に当接させることによって台座に三点で支持されているものが提案される。かかる構成では、容器を台座に対して傾けて保持した場合でも、花止め具が水平となるように容器本体に装着すれば、花や草を垂直に生けることができる。
【考案の効果】
【００１２】
以上に述べたように、本考案の花止め具は、容器の内壁に三点で支持されるため、容器内に安定して保持することができ、また、容器に対する装着角度を変更することも可能となる。
【００１３】
また、支持板部の下面に隆起部を連成して、保持孔を支持板部と隆起部の双方に貫通させるようにした場合には、保持孔の長さを十分に確保することができ、様々な径の茎を保持孔に安定に保持できる。
【００１４】
また、各接触端部の間の側辺を内側に抉れるように湾曲させた場合には、花止め具の着脱作業を一層容易に行うことができる。
【考案を実施するための最良の形態】
【００１５】
本考案の実施形態を、以下の実施例に従って説明する。
花止め具１は、図１〜５に示すように、平面視略正三角形状をなす板状部材であり、略正三角形板状をなす肉薄な支持板部４と、該支持板部４の下面から下方に隆起する、略Ｙ字状をなす肉厚な隆起部５とで構成される。
【００１６】
支持板部４の三つの頂点は円弧状に丸まっており、各頂点を容器の内壁面に当接する接触端部７とする。また、各接触端部７の間の側辺８は夫々内側に抉れるように湾曲している。
【００１７】
略Ｙ字状をなす隆起部５は、図１，２に示すように、支持板部４の下面の周縁より内側部分に形成されており、上方から見ると支持板部４に完全に隠れている。隆起部５はその中心が支持板部４の中心と上下に重なるように、また、各端部が支持板部４の接触端部７方向を向くように連成される。また、隆起部５は中央部が最も肉厚となり、末端ほど肉薄となるよう傾斜している。
【００１８】
花止め具１には、茎を保持するための円形の保持孔６ａ〜６ｃが形成されている。各保持孔６ａ〜６ｃは、中央の大きめの保持孔６ａと、該保持孔６ａから各接触端部７方向に二つずつ放射状に配設される小さめの保持孔６ｂ，６ｃとからなり、夫々の保持孔６ａ〜６ｃは支持板部４と隆起部５の双方を上下に貫通している。
【００１９】
図６，７に上記花止め具１を用いた花器２を示す。花止め具１は、鉢状をなす容器３の内部に装着される。容器３は、図８に示すように、下底面が丸まった容器本体１０と、該容器本体１０を支持する台座１１とからなる。台座１１は、基板上に三本の支持脚１２を配設してなるものであり、容器本体１０は、各支持脚１２の先端にその下底面を当接することにより台座１１に支持される。このように、容器本体１０は、その下底面を台座１１に三点支持されることにより、台座１１に対して様々な角度で保持され得るようになっている。
【００２０】
図６，７に示すように、花止め具１は、容器３のすぼんだ内壁に夫々当接する三つの接触端部７を介して、容器３の内部に保持されることとなる。かかる花器２にあっては、花止め具１の任意の保持孔６ａ〜６ｃに花や草の茎Ｓを挿入し、保持することにより花や草を生けることができる。
【００２１】
花止め具１は、図９に示すように、容器３に対して傾けて取り付けることも可能であり、花や草を傾けて生けたい場合に利用できる。
【００２２】
また、花止め具１は、図１０に示すように、台座１１に対して容器本体１０を傾けて保持した場合に、花止め具１を容器本体１０に対して傾けて、花止め具１が水平となるように装着することができる。花止め具１をこのように装着すれば、容器本体１０が傾いていても、花や草を垂直方向に生けることが可能となる。
【００２３】
このように、本実施例の花止め具１は、接触端部７を容器３の内壁に当接させることにより容器３の内壁に対して三点で支持される。このように三点支持構造を取れば、容器３の内壁形状に厳密に合わせなくても、花止め具１を容器内に安定に保持することが可能となる。したがって、形状の異なる様々な容器に装着して花器を構成することができる。また、同じ容器に対して花止め具の装着角度を変更することもできる。
【００２４】
また、各接触端部７の間の三つの側辺８は容器３の内壁に当接せず、内壁との間に隙間を生じているため、該隙間に指を入れて、支持板部４の側辺を掴むことにより花止め具１の着脱を容易に行うことができるという利点がある。特に、本実施例の花止め具１は、側辺８が内側に抉れるように湾曲しているため、側辺８と内壁との間に指を入れるスペースを十分に確保することができる。
【００２５】
また、本実施例の花止め具１には、支持板部４の下面に、その周縁よりも内側部分に下方に隆起する隆起部５が形成されており、各保持孔６ａ〜６ｃは、支持板部４と隆起部５の双方を貫通しているため、保持する保持孔６ａ〜６ｃの長さを十分に確保することができ、細めの茎Ｓであっても保持孔６ａ〜６ｃに安定に保持できる。
【００２６】
また、かかる隆起部５は支持板部４の周縁より内側に形成されているため、該隆起部５が容器３の内壁と干渉することもないし、着脱時の邪魔にもなり難い。また、隆起部５は、支持板部４の下方に隠れるため花器２の美観を損なうこともない。
【００２７】
また、隆起部５と支持板部４は中心が重なるように連成されているので、ぐらつき難く安定である。また、Ｙ字状の隆起部５は支持板部４を補強する働きもするため、支持板部４を薄型化することができる。さらには、端部に行くほど肉薄であるため、容器３の内壁に干渉し難く、目立ち難いという利点がある。
【００２８】
なお、本考案における花止め具は、上記実施例の形態に限らず本考案の要旨を逸脱しない範囲内において種々変更を加えることができる。
【００２９】
例えば、上記実施例の花止め具は、支持板部４と隆起部５が一体的に連成されたものであったが、これらは複数部材を接合してなるものであってもよい。
【００３０】
また、保持孔の数、配置、形状は実施例の構成から適宜変更可能である。また、実施例の保持孔は、全て支持板部４と隆起部５の双方を貫通しているが、支持板部４のみを貫通する保持孔が形成されていてもかまわない。
【００３１】
また、接合端部の形状も傾斜を付けるなど適宜変更できる。また、接合端部にゴム等の滑り止めを設けるようにしてもよい。
【００３２】
また、実施例の花止め具１は、支持板部４の側辺８が内側に抉れるように湾曲していたが、本考案の花止め具にあっては、側辺は外側に湾曲していてもかまわないし、直線状であってもかまわない。
【図面の簡単な説明】
【００３３】
【図１】花止め具１の平面図である。
【図２】花止め具１の底面図である。
【図３】花止め具１の側面図である。
【図４】花止め具１の上方斜視図である。
【図５】花止め具１の下方斜視図である。
【図６】花止め具１を具備する花器２の斜視図である。
【図７】花器２の部分断面図である。
【図８】容器本体と台座を分離して示す容器３の斜視図である。
【図９】花止め具１の別の装着態様を示す花器２の部分断面図である。
【図１０】花止め具１の別の装着態様を示す花器２の部分断面図である。
【図１１】従来の花止め具１ａを示す斜視図である。
【符号の説明】
【００３４】
１，１ａ  花止め具
２，２ａ  花器
３，３ａ  容器
４  支持板部
５  隆起部
６ａ，６ｂ，６ｃ，６ｄ  保持孔
７  接触端部
８  側辺
１０  容器本体
１１  台座
１２  支持脚
【図１】
0003142479.tif 000003
【図２】
0003142479.tif 000004
【図３】
0003142479.tif 000005
【図４】
0003142479.tif 000006
【図５】
0003142479.tif 000007
【図６】
0003142479.tif 000008
【図７】
0003142479.tif 000009
【図８】
0003142479.tif 000010
【図９】
0003142479.tif 000011
【図１０】
0003142479.tif 000012
【図１１】
0003142479.tif 000013